(57)【要約】      （修正有）【課題】電磁気力の対称性を自発的に破り、エネルギー保存則を超えて、核力に至るエネルギーを取り出す永久モータの提供を課題としている。【解決手段】発電機で発電する±一相以上の電気を、配線を使いｎ分割し、分割した分だけ、電磁気力エネルギーをｎ倍化し、引き出し有効利用する方法手段にかかる。この分割方法を使えば、発電機も熱損と力損がすくなくなり、高速回転も容易となる。発電機は従来の構造規模をほぼそのままで、配線をｎ数に細分割し、モータの発電駆動能力を、増やする構造が可能となった。基本的には電磁気力がそれぞれ対称性を持ち、プラスマイナス打ち消しあうのを自発的に無くす方法として、駆動発電二重コイル単磁電機子対とすることで、課題を解決する手段とした。【選択図】図６
2017093293.tif 000002
【特許請求の範囲】
【請求項１】
本発明は  入力と出力の総数は等しいエネルギー保存則を自発的に破り、入力を超える出力を提供する方法と装置に係る。
本発明は宇宙の爆発と邂逅の原理と、これを証明する整数論の数理と、整数論と４次元数理を統一する曲率の統一とにもとずく証明を、物性物理での装置として、電動モータで行うものである。
電動モータの電力の出力はフレミングの右手の法則にしたがう。
電動モータの駆動力の出力はフレミングの左手の法則にしたがう。
モータは物を動かす駆動機であると同時に電気を出力するジェネレータである発電機でもある。
モータの種類の中の電動モータにはモータと発電機がある。
混乱を招くため電動モータの中に駆動機と発電機があると整理する。
フレミングの左手の法則を幾何学上の三次元空間として表し、一次元目を中指である電流の方向の１次元とし、二次元目を人差し指である磁界の方向の２次元とし、三次元目の親指の方向を力の作用する方向の３次元とし、土台である左手の方向を０次元の基数１の方向であるとし電磁気力の気に対応する４次元とする。
フレミングの左手の法則の出力に対応する電磁気力の装置は、駆動機である。
電磁気力の対称性は、二次元の虚像である鏡の世界と三次元目で接する周りの実像とは対称であり、対称性とは実像と虚像の世界である。
フレミングの左手の出力の法則に従う駆動機と、フレミングの右手の出力の法則に従う発電機は電磁気力の対称性がある。
駆動機は電力を入力し、発電機は駆動力を入力する。
対称性のプラスとマイナスはお互いに打ち消しあってゼロになる。
エネルギー保存則は  電磁気力の対称性により  入力と出力の総数は同じとすることにより保たれている。
他方  電磁気力の対称性の自発的破れはエネルギー保存則に従わないとするワイバーグ氏とサラム氏両氏の法則がある。
対称性の自発的破れは、空間の対称性を保つランダムな方向の磁石が、ある方向を同じくして整列する状態をいう。
フレミングの右手の発電の法則とフレミングの左手の駆動の法則は、二次元方向を同じくして、三次元方向で虚像と実像の対称であり、プラスマイナス打ち消しあってゼロになる。
この三次元目を逆方向に向けられれば、対称性の自発的破れで、発電が倍になり、モータの駆動力が倍になる。
本発明はこの対称性の自発的破れを引き出す方法による、プラスとマイナスの方向にそれぞれ倍とする装置と方法に係る。
本発明は電磁気力の対称性を自発的に破り、エネルギー保存則を超え、原子力に至るエネルギーを無公害に取り出す技術の方法と装置に係る。
アンペアの右ねじの法則により  右ねじを鉄心としコイルを右巻きに巻き、電気を入力すると、磁束がねじ先端方向に流れ磁極が先端でＮ極の電磁石となる。
絶縁皮膜した鉄心に、絶縁皮膜した銅線をコイルとして巻き、コイルの一端と他端を電極とするアンペアの右ねじの法則にしたがうソレノイドコイルを構築する。回転子と固定子の二体からなるモータにおいて  一体をソレノイドコイルとしソレノイドコイル中間で  鉄心の心方向に、２次元直角に回転軸を具備し、  ソレノイドコイルの鉄心の両端にそれぞれ１ミリ弱の隙間を隔てて、一端にＮ極と他端にＳ極の電磁石を具備するヨークを二磁極ロータとして、他体として置き、鉄心に３次元直角方向に双磁極Ｎ極とＳ極を交互に回転させる。ソレノイドコイル鉄心に発生する交番磁界による磁束を、ソレノイドコイル鉄心内に交互に交番磁束として流させる。
この電磁石とソレノイドコイル二体間の電磁気力相互作用によりソレノイドコイル両端の電極に交番電流を発生させる発電機とする。
この発電機の２スロットル電機子において。
この発電機のソレノイドコイル電機子に交番電流を入力すると駆動機ともなる。
この電動モータはＵ相とＶ層の二相電動モータですが、コイル両端の電極の電圧は同時にプラスとマイナスであり、一相電動モータのように見える。しかし電圧と電流の位相関係において、コイル中間の電圧の中間点のゼロ電圧を境とする鏡面で電圧がプラスとマイナスと対称であるから、同時にプラスとマイナスの電圧が発生する二相電動モータである。
二相電動モータでは、ソレノイドコイル端のプラス端子とコイル中間点を切断し解放回路とし中間端子のプラス端子と並列結線とすると対消滅し、ショート状態となる。
これは入力方向と出力方向が電磁気力対称性を保ちエネルギー保存則を保つ表れである。
単相のコイル両端の電気は位相が１８０度ずれた正圧と負圧の電圧を示す。
単相コイルの両端の端子が入力方向と出力方向である電気位相が９０単度ずれた相と違い、ソレノイドコイルでは位相が同じで正圧と負圧の電圧を示す、出力方向と入力方向が同時である二相モータである。したがってＳ極側の電機子に流れる電流の方向は、Ｎ極側に流れる電流と逆方向であり、フレミングの左手の法則にしたがう駆動電力により、同時にフレミングの右手の法則にしたがう発電電力も発生する。
ソレノイドコイル内ではＮ磁極に向かうフレミングの右手の法則とフレミングの左手の法則が電磁気力対称性を示し対消滅しエネルギー保存則にしたがう。
本発明は電磁気力の対称性の自発的破れを扱い、エネルギー保存則を超える出力を具現する装置に係る新しい分野です。
単語を整理しながら、必要ならば造語を仮称します。例えば電動モータに使用するソレノイドコイルを双磁極電機子と仮称し、一相の電機子を単磁極電機子と仮称する。
一相は一相のみでは局所で存在し、全体では逆相が対として存する。
第一段階：ソレノイドコイル中間を切断し、新たな二つの電極を構成し、Ｎ磁極側の電機子とＳ磁極側の電機子をそれぞれ単磁極電機子として構築する。
双磁極間の二相のプラスマイナスする実像を表す単磁極電機子と対称する虚像を表す単磁極電機子を分離しそれぞれ実像としての単磁極電機子として取り出し、電力を電磁気力対称性を自発的に破る発電電力と駆動モータ電力として仕事をさせる電磁気力対称性を自発的に破る単磁極電機子対回路において。
本発明はコイル間の結線が並列である解放回路の電動モータに係る。
電機子コイルが双磁極Ｎ極とＳ極に直列で結線する電磁気力対称性に従う双磁極電機子に対し、Ｎ磁極・Ｓ磁極それぞれの磁極の±２相の４電極端子を具備する解放回路単磁極電機子対で、電磁気力対称性を自発的に破る単磁極電機子対として構成する回路及び同時に発電と駆動とを行う電動モータに係る。
第二段階：電動モータに於いて、一体が電機子であり、他体が電磁石であり、一体が固定子と他体が回転子から成る電動二体モータの一体において、電機子鉄心の柱であるスロットルが回転面・円周上に多柱連なる、同相の多スロットル電機子コイル間の電線の結線が同相間並列結線である電磁気力対称性を自発的に破るモータに係る。
少なくとも一つの単磁極電機子対の同相コイルを並列に結線する電磁気力の対称性を自発的に破る電動モータにおいて、異相間の直列結線がない開放回路の電磁気力対称性を自発的に破るモータに係る。
第三段階：電動モータ電機子の同相で同磁束の流れる鉄心を共有し、発電用コイルを２次巻き線としてモータ駆動用１次巻き線コイルに重ねて二重に鉄心に巻き、駆動用コイルに電気を入力し駆動と同時に発電用コイルに発電する、電気の入力と出力を別回路として対消滅させずに、且つ入力電力を消耗させずに磁力を得る電磁気力対称性を自発的に破る相互作用の方法。
及び同じ鉄心上に重ねて一次巻き線として発電用コイルと２次巻き線として駆動用コイルを二重に巻いた、電磁気力対称性を自発的に破る二重コイルで同時発電と駆動出力する、発電駆動モータ。
【発明の詳細な説明】
【発明の詳細な説明】
【技術分野】
【０００１】自然界にある四つの力の統一法則と、整数論にもとづく、宇宙の爆発と邂逅の原理を、実証する、電磁気力対称性を自発的に破る永久モータ【０００２】
【従来からの物理思想】
【０００３】「一般的エネルギー保存則は（入力による出力の総数は同じ）狭義のエネルギー保存則⇔重力を含む磁力と電力と核力の広義のエネルギー保存則を言う」
従来から、永久機関に対する考えは二つあり、一つは  永久機関は一般的なエネルギー保存則に反するものであるとしている。今一つは、永久モータは社会的に弊害があり否定する。こうした一般的なエネルギー保存則に反し社会保守に反する発明は、特許法の「発明」と言うことは出来ず、特許を受けることができない（特許法では保護の対象外）とされている。
今日化石燃料を燃やす廃熱による地球温暖化で地球の天候は荒れ、海面が９５メータも上昇し人類の文明が破壊される。また原子力発電により、使用済み核燃料が原爆の材料となり、制御できない放射能が、地球上にあふれ人類絶滅の危機に瀕している。
本発明はこれらを無くし、人類を破滅から救済するために７０年かけて開発された。
上記従来からの思想、一般的エネルギー保存則としているのは、重力場の系における（入力と出力の総数は等しい）と言う熱エネルギー第一法則である狭義のエネルギー保存則を自然法則としている。
上記エネルギー保存則は狭義の重力場の一方の系内に於けるエネルギー保存則である。
他方、自然界には、四つのエネルギー順位の違う力として重力と磁力と電力と核力を持つ四つの系があり、重力場である系から原子力場の系に至る、四つの系内の個々のエネルギー順位の違う系のエネルギー保存則を、広義のエネルギー保存則と言う。
上記狭義のエネルギー保存則と広義エネルギー保存則を合わせた法則が、一般的エネルギー保存則と言える。
上記四つの系内の四つの力は、従来、原子内で、相互作用を行い、系を超えるエネルギーは電磁気力対称性によりそれぞれ相殺し、引き出す事は出来なく、原子の重力場内で閉じている。
特殊相対論による例外として、核力については、原子爆弾の爆縮により、核力を重力場の系内で原子の枠を越え、飛散・発生させることが出来る。
しかし重力場から核力場の系にいたる数理は無く、核力を計算するのに、ガリレオの落体の数理の、質量を光速度に置き換える便法により、核力を算出する。
核力である原子爆弾のエネルギーは、重力１が光速度１倍とすることです。
核力は爆縮により、重力場の狭義のエネルギーをはるかに超え、原子力のエネルギーを生み出す、広義のエネルギー保存則に従う、永久機関である。
重力場の閉じた系に於ける狭義のエネルギー保存則は、自然法則の一部である。
狭義の重力場の系のエネルギー保存則を含む、核力にいたる四つのそれぞれの閉じた系のエネルギー保存則を含む、重力が原子力を生む、広義のエネルギー保存則が一般的なエネルギー保存則である。
「電磁気力の対称性の自発的破れは狭義のエネルギー保存則に従わない」
物理学会で公知のノーベル賞を１９６７年に受賞したワインバーグ・サラム両氏の自然法則は、原子爆弾と言う爆縮に寄らない、穏やかな非対称性電磁気力相互作用により、狭義のエネルギー保存則を超え広義のエネルギー保存則にいたるエネルギーを取り出すことが出来る証明である。
四つの力は、それぞれの場に於いて、狭義のエネルギー保存則に従うが、四つの力の場と系の相互作用である、電磁気力相互作用に於いては、±する四つの力：発電と駆動の方向とプラスとマイリースの電気とＮとＳ双磁極と力と抗力のそれぞれが打ち消しあう対称性とは逆に非対称に変える技術により、狭義のエネルギー保存則を超え、広義のエネルギー保存則に従うことが出来る。
四つの力の場の相互作用は、四つの力の対称性を個々に非対称とすることにより狭義のエネルギー保存則を超える重力から核力にいたる相互作用を行う。
これは狭義のエネルギー保存則を超える永久機関の存在である核力にいたる広義のエネルギーを示す自然法則である。本発明は整数論による、四つの力の統一に掛かる発明で、四つの力の相互作用による、重力場の狭義のエネルギーを超え、核力にいたる広義のエネルギー保存則を具現する発明であり、実証機である。
「従来からの拒絶査定の用件」
永久機関は一般的なエネルギー保存則に反する。こうした自然法則に反する発明は、特許法上の「発明」とすることができない。かつ社会性がない反社会的である（特許法では保護の対象外）が従来からの拒絶査定の用件である。
「本発明による、立証の趣旨」
入力エネルギーに対し出力エネルギーの総数は同じ。と言う３５０年も前の熱エネルギーの法則は、入力エネルギーよりはるかに大きい原子力が在る現代において、そぐわなく、現代の物理学では狭義のエネルギー保存則とされている。
自然界には重力・磁力・電力・核力と四つのエネルギー順位の違う力がある。
重力を超え核力にいたるエネルギーは広義のエネルギー保存則に従う。
物理学者ワインバーグ・サラムらは  １９６７年「電磁気力に依る対称性の自発的破れはエネルギー保存則に従わない」でノーベル賞を授与、狭義のエネルギー保存則が破れているのは、世界各国で追試され、公認されている。
四つの力の相互作用である電磁気力は常に対称性として±の状態で存在して、狭義のエネルギー保存則を構成し、四つの力はそれぞれ閉じている。
対称性の自発的破れである概念的モノポールの存在技術である単磁電機子対は、狭義のエネルギー保存則を超える。
狭義のエネルギー保存則は、二次関数が１である＝数と／逆数が相対する相対論で成り立っている。
四つの力が相互作用する多次元世界は、４次関数で四つの解しか得ることのできないデカルトの数理・総数１が何でもよいとする相対論の数理では説明しきれない。新しい数理が必要である。
本発明は整数で宇宙の法則を既述するものであり、実証機である。
日本の物理学士３名がこの整数論でノーベル賞を授与されている。
『整数論による宇宙の爆発と邂逅の原理と法則を述べる』
原理：宇宙は総数１である。
「虚空に浮かぶ  在るは  有るとも言え  ないとも言え  意味を成さない  等しく分裂し  他を見て初めて我を知る  我は宇宙と等価なり」
「神の愛は  神自らが爆発しエネルギーとなって  神の愛で宇宙を満たす  我を愛し  他を敬い  和して神を称えん」
『宇宙の爆発空間である四つの系と爆発エネルギーを保存する力と四つの素粒子の関係』
太陽系の爆発    ⇔  核力  ⇔  素粒子は光子
銀河系の爆発    ⇔  電力  ⇔  素粒子は電子
泡宇宙系の爆発  ⇔  磁力  ⇔  素粒子は陽電子
宇宙系の爆発    ⇔  重力  ⇔  素粒子は中性子
重力場である地球上の物質を構成する⇔全ての素粒子は、この宇宙の四つの系の爆発を順次経験し、今ここに存在する。
素粒子は一つであり宇宙の四つの系の爆発エネルギーを±四つの立方体対角線上の回転軸で±四つの回転数として、座標の原点極をかつての宇宙の爆発原点極として、八象限の閉じたエネルギー空間である原子の枠の中で邂逅・保存している。
『素粒子と原子の関係』
四つの力は、立方体対角線の交点を座表の八つの象限の極とし、対角線を回転軸とし、四つの回転数で回転し、±Ｘ・±Ｙ・±Ｚの１２平面で接する。
素粒子の回転・方向に対称性があり、プラスとマイナスと相殺して原子の外面である座標は固定し、閉じている。
『整数論による爆発と邂逅の数理』
原理：次元は空間の等しい分裂により生成される。
ゼロ次元の分裂⇔±１                ⇔基数１⇔エネルギーを保存する素粒子は中性子
１次元の分裂⇔（±１）±１          ⇔１次元⇔エネルギーを保存する素粒子は陽子
２次元の分裂⇔｛（±１）±１｝±１    ⇔２次元⇔エネルギーを保存する素粒子は電子
２次元の分裂⇔［｛（±１）±１｝±１］    ⇔３次元⇔エネルギーを保存する素粒子は光子
四つの力の次元
重力⇔±０次元
磁力⇔±４次元
電力⇔±１６次元
核力⇔±２５６次元
立証の趣旨
本発明の  電磁気力モータは  電磁気力対称性により狭義のエネルギー保存則に縛られている電磁気力モータを  この対称性を自発的に破り、重力から核力にいたる、穏やかで無公害な広義のエネルギー保存則に従うエネルギーを取り出す電磁気力モータであり、この整数論による『爆発と邂逅の原理』を法則として立証する、実証機である。
「本発明が特許にされるべき理由」
入力エネルギーによる出力エネルギーの総数は等しいと言う、狭義のエネルギー保存則に従い、永久モータを特許にしないとする狭義のエネルギー保存則は、これを越える広義のエネルギー保存則を語る数理を持たなく、無理に、微積分などで当てはめると、基数１が変わり空間がゆがむ。
本発明は自然現象として狭義のエネルギー保存則を超える発明であり、電磁気力の対称性の自発的破れは、狭義のエネルギー保存則に従わない、ワインバーグ・サラムの法則、である自然法則に従うものである。
故：特許として保護されるものである。
「結び」
自然界に存在する四つの力：重力：磁力：電力：核力を説明する数理は、±二次関数の基数１が何でもよい四次関数の数理による相対論では説明が出来ない。
宇宙は総数１である、絶対整数論に於いて初めて明らかになるものである。
『電磁気力対称性の自発的破れは、狭義のエネルギー保存則を超え、重力から核力にいたる広義のエネルギー保存則に従う』これを具現する、二重単磁電機子対発電駆動モータによる、電磁気力非対称性回路は、特許で保護されようとなかろうと、技術は世界に公開され、実証機が世界に広がる波は止められない
願わくは、多神を知る日本人が先頭に立って、新しい世界観で活躍することを願うばかりである。
神を否定し、小さな閉じた四次元の獣の世界以下である命を粗末にする共食いの醜き思想の元、殺戮により世界を支配するために、特許獲得のためにも何百億円も積む、この発明はそうした殺戮に利用されたくはないものだ。
従来の電磁気力の具現は、発電と駆動が同時に背中合わせで発生し、発電をすれぱ発電抗力が発生し、駆動すればモータ内部で自己誘導発電し、発電抗力が発生する。フレミングの発電と駆動の左右の手の法則により、電磁気力三方向のうち、二方向が順方向とすると他方行が逆になり、打ち消しあう、電磁気力対称性によりエネルギー保存則にしたがう電動モータである。
【０００４】従来の第一：具現する発電駆動方法はモータの回転子と固定子の二体を、一体をヨーク上にＮ極とＳ極の二極の磁石とし、他体をコアである鉄心に巻かれた良電導体コイルで形成する電機子とする。この回転子と固定子二体の間の相対する移動により、電機子コイルに交流発電させる発電方法及び発電機である。
また駆動モータは回転子と固定子の二体モータの一体の電機子に交流電気を外部から印加し、発生する磁力により、フレミングの左手の法則にしたがい、他体ののヨーク上のＮ極とＳ極の二極の磁石に駆動力を与えている。この結果駆動モータの電機子コイルに自己誘導発電し発生した電気により、二次的に電機子が磁石となる。これは発電機においては発電抗力となり、駆動モータにおいては、回転をあげると共にトルクを減じる力損の原因となっている。
【０００５】従来の第２：発電駆動は、同相多柱の発電駆動方法の電機子コイル磁極のＮ極とＳ極の二極で発生した電圧のプラスとマイナスの互いの逆電圧相の電流が短絡し流れることにより、電機子コイル内の直列・閉鎖回路内においてで最大の電磁気力を浪費、発熱し熱損・力損が発生する。これら電磁気力の損により、発電及び駆動の入力エネルギーの大半が失われる。従来の発電機発電抗力。熱損などは、大型発電機モータコイルが熱損で焼けるために、良伝導体線をパイプ状にして中に冷却水を通すなどして熱でコイルが焼ききれるのを防いでいる。発熱エネルギー損の基本的元で在る発熱の原因究明はなされていない。
力率改善と言う概念は在る。
【０００６】従来の第３：発電機、駆動方法はモータの電機子コイルが一端を入・出力端子とし他端をスター回路かデルター回路として閉鎖回を形成し直結している。このため閉鎖回路内で違う相の電気同士が短絡状態となり、入力エネルギーの大半が熱損となる。また発生する磁束による磁気が第１の抗力ともなり、力損となる。
【０００７】電動機の発電と駆動の電磁気力が背中合わせに同時に作用する二面性が在る。これは電磁気力の三方向と電気入出力方向を加えた四方向が、発電と駆動の同時発生では、少なくとも一つの方向が互いを打ち消す方向に在る。
【０００８】発電機において、電機子コイル柱数が少ないものは力率が良いと認識されている。
しかし、閉鎖回路と複数の柱を直列結線、或いは単線で重ね巻きしている電機子には単磁電機子対の思想は無い。整流機構については、双磁極電機子入出力端子においてのみ整流されている
【０００９】
【発明が解決しょうとする課題】
【００１０】本発明が  解決しようとする第一の課題は、従来のスター回路やデルター回路の電動モータで発電及び駆動をすると、少なくとも半分が熱となり、熱損となる。
また多相の回路の閉鎖回路により多相間で電力が熱浪費され、熱損となると友に、発生する磁束により発電抗力となり、力を浪費し、力損となる。これにより駆動力自体も相殺しトルク減が発生する。電磁気力対称性により、入力に対し打ち消す現象である熱損・力損をなくし電気抵抗・磁気抵抗の少ない電磁気力非対称性常温超伝導のモータ構造を提供することを第一の課題としている。
【００１１】本発明が解決しようとする第二の課題は、同相他柱間で電磁誘導発生する電力と磁力の抗力となる原因、電磁気力対称性を明らかにし、発電抗力及び駆動抗力に因る熱損・力損をなくす構造を提供することを第二の課題としている。
【００１２】本発明が解決しようとする第三課題は、熱損・力損を総合的に解決することを第三の課題としている。駆動電力を投入し、モータが回転すると自己誘導発電し、短絡ショートし、熱損・力損が発生する。電気気力対称性による熱損・力損をなくし、総合的電力を、有効利用することを第三の課題としている。
【００１３】駆動モータコイル内で発生する、自己誘導発電による発電抗力をなくしつつ、発生する電気を発電電力としてモータ外部に１００％取り出す電磁気力非対称性発電駆動モータの具現することを第三の課題としている。
【００１４】
【課題を解決する為の手段】
【００１５】本発明の第一の課題である熱損を解決する手段は、電力消費を１とすると、半分が発熱して逃げる原因を明らかにすることであり、その後これを解決する装置を電機子コイル巻き線構造、配線方法及び装置として提供することにある。
【００１６】第一の課題である位相の違う、他相間での電圧・電磁気力対称性相互作用により、互いに電圧を打ち消しあうために起こるエネルギー損失、発電抗力、および熱損をなくすための手段としては、スター回路、或いはデルター回路としての、アースとして閉鎖している結線を解放し、新たな逆相の電極を創設する単磁極電機子対電圧・電磁気力非対称性の結線とすることを手段としている。
【００１７】第二の課題である電機子同相他柱間での熱損、力損を解決する手段は、同相他柱間の結線が直列結線により、コイル内部で短絡発熱するのを、並列結線とすることにより、熱損と力損をなくす電磁気力非対称性を手段とする。
【００１８】第三の課題である駆動時誘導発電する電力を取り出す手段は、同相間での結線と整流配線手段で熱損と力損が発生するのを無くし、物質が元々持っている原子力に近いエネルギーである電磁気力を取り出す方法を阻害するこれらを排除するのを単磁電気子対で且つ二重コイル手段としている。発電時発生する抗力を無くすと友に、位相を同じくする複数の単磁電機子コイルが単線で直列に結線されているため、結線内で発熱消費しているのを発見し、これを解放し、新たな電極とすることを手段としこれにより熱損を無くす手段としている。且つ並列結線により発生する磁束による磁気抗力が、単磁電機子対間に発生した電気に仕事をさせることにより磁束が無くなり、発電抗力も無くなることを発見し、これにより、入力を消費する抗力によるエネルギー、力損をなくすることが可能となった。熱損のエネルギー損も無くすための第三の課題を解決する手段は、同相の単磁極電機子を、並列に繋ぐ手段として、単磁極の電極に、整流器を繋ぎ整流し、その後に、直列、或いは並列に繋ぐことを解決手段とする。並列については整流子を必要とはしないで、結線しても効果は変わらない。その上で、二体モータの相対する回転差速によりにより駆動モータ電気回路に発生する自己誘導発電による熱損力損をなくす方法手段は、駆動回路コイルの磁束を同じくするように、発電用コイルを二重に巻き、駆動電気回路と別の発電回路とすることを第三の課題としている。
【００１９】
【発明を実施するための形態】
【００２０】本発明の開示である発明の第一の実施の形態は、第一に電力消費すると半分が発熱して逃げる熱損の原因を明らかにすることである。その原因は  交流発電の電気の相が異なる二相の電気配線内で、或いは±同相間で  互いに電圧の向きが違う電気が閉鎖回路として短絡し、一相分の電気が発熱浪費するのである。本発明はこの閉鎖回路による短絡発熱浪費の現象を踏まえ、入力と出力を二相間で行う閉鎖回路を解放し、一方の相も他の相も、それぞれ別入力電源とし、二回線の電力消費とし、それぞれの相の電気出口を大地とするアース線とで±二相の逆相を含む４相の電気配線とする。これはＮ・Ｓ磁気単極電機子対と呼べる。これにより従来の発電機で在るＮ・Ｓ磁気双極電機子の一相と他相が短絡発熱浪費による発生電力の半分のみ有効に使うことしか出来ないものを、電磁気力対称性を自発的に破り、熱損、力損としていたエネルギーを有効電磁気力として、
倍化して有効消費に電力を変えることが出来る。
【００２１】本発明の開示である第二の実施の形態は、第一の実施の形態により、モータの位相の違う電機子の結線が、スター回路かデルター回路で結線しているために、異相関で相互作用し、二相の電気が一相分、発熱浪費する、且つ発電抗力の基となる誘導起電力による磁束の流れにより発生する磁気が発電抗力の元と成る。これを解決する実施方法は閉鎖回路をなくし解放回路とすることにより第一の抗力をなくすことと友に。より詳しくは、Ｎ・Ｓ磁気単極電機子対群を使い、それぞれの同相単磁電機子で発電した電力を同相単磁電機子内で消費すれば、電機子励磁磁鉄内に、誘導起電後の磁束が発生しない、従って磁気抗力も発生しない。これを利用することにより発電抗力のない発電機を具現することが出来る。電動機においては、自己誘導発電による抗力も無くせる。発電機においては従来よりも有効なエネルギーを得ることの方法が出来るようになり、駆動モータにおいてはトルクも力損の無い有効駆動力を得ることが出来る。本発明の第二の実施の形態は、電機子が同相多柱間において並列結線すると友に、異相間を開放回路の対とする電磁気力非対称性とすることを手段としている。
【００２２】本発明の開示で有る第三の実施の形態は、駆動モータ内に発生する自己誘導発電を駆動電機子の磁束を共有し、発電電機子を構成することを手段とし、二重に鉄心にコイルを巻き、発電と駆動回路を別とする実施の形態である。
【００２３】
【実施例】
【００２４】実施例の第一はまず直列閉鎖回路に於ける発熱の原因を図１に於いて交流発電の二相の相互作用として  説明する。図１は二相の相互作用の電源と電圧と位相の関係グラフ図です。
縦方向が電圧であり横方向が発電の磁石とコイルの相対位置を示す位相を図示したものである。位相の違う二相の電力は互いに電圧がプラスマイナスし一相分が対消滅し、この消滅した一相分の電力が直列閉鎖回路の発熱する熱損の原因である。
入力と出力の総数は等しく、電磁気力の対称性が保たれ、エネルギー保存則にしたがう。【００２５】上記発熱の原因をなくし発電する方法を図２において説明する。
図２は直流モータの模式図である。
絶縁皮膜された鉄板の合板で形成された鉄心１に絶縁皮膜された良伝導体線である銅線をコイル２として巻き、電磁石の固定子として一体が形成されている。他方他体として回転子電機子で２体が形成されている。
回転子電機子の鉄心の一端Ｎと他端Ｓに１ミリ弱の隙間をへて、固定子のヨークを構築し、固定子電磁石用ソレノイドコイルに電気を入力するとともに、回転子電機子に交流電源を入力すると磁極Ｎ極とＳ極が交番し回転する。
フレミングの右手の法則により電機子コイル一端Ａと他端Ｂに電流＋Ｕと−Ｖが発生する。この二相にそれぞれ電気器具をつなぎ電気器具他端を電圧の中点であるアースとして繋ぎ消費する。このコイル中間では、発生した電気±Ｕ相の逆相である±Ｖ相が短絡結合し発熱する。これを防ぎ、電力を有効に使うには、図２においてソレノイドコイル中間を切断し新たな電極ＣとＤを形成し、新たな電気の相、−Ｕ相の逆相＋Ｖ相と＋Ｕ相の逆相−Ｖを形成する。このそれぞれの新たな電極に電気器具を接続し、それぞれの電気回路端を電圧中間点のアースとする。
図の直流モータでは、回転子の電機子のＵ相とＶ相が直列結線された閉鎖回路である。これを図５とさらに図８図においてコイル中間点で切断し新たな端子を設けさらに整流子を既設されている整流子と同軸で回転子電機子の反対側に新設する。新設された整流子からブラシを経て電源に並列結線する。図５は３相直流同期モータとして描かれているが解放回路の結線は同じです。【００２６】実施例の第二は、多相電動機の発電抗力と駆動抗力を示す実施例２として、図３を用いて説明する。図３は模式図である。３相交流発電機として説明する。絶縁皮膜された鉄板の合板で形成されたドーナツ状円盤１に鉄心の柱が形成され、内側に突起する鉄心の柱が相数倍在る。
それぞれの鉄心の柱に良伝導体線が巻かれ、電機子を形成している。
このコイル一端は三相出力電極ＵＶＷを形成している、従来のモータはそれぞれコイル他端をスター回路かデルター回路として、短絡結線した閉鎖回路を形成している。之により熱損、力損が発生する。本発明は、それぞれの他端を短絡閉鎖回路として形成すことなく、解放し、逆相−Ｕ−Ｖ−Ｗとして新たな電極を形成している。それぞれの逆相には電気器具が接続さ。
電機気具他端はアースに接続されている。アースが異相間の中間点である。【００２７】実施例の第二の同相・多極における熱損・力損は、図５を用いて説明する。図は模式図である。絶縁皮膜した鉄板の合板で構成された励磁磁鉄１の少なくとも一つの鉄心の柱に絶縁皮膜した良伝導体線２が巻かれ、電機子を形成する。鉄心１の柱の端に隙間を隔ててＮ，Ｓ磁極が軸１６を中心に回転するモータの図である。
相が同じで多極である従来のモータの結線は、同相コイル線が連続して直列につながれ、線の両端Ａ，Ｂが相の電極となる。このためコイル内部での逆相の電力が短絡ショートし発熱し、且つ磁束により抗力が発生する。本発明はそれぞれの同磁極柱間の電気配線を切断し新たな電極を新設し、極数分の±電極を新設するモータである。これらの結線は直列結線されることなく、同相・並列結線される。【００２８】実施例の第一の直流モータ開放回路の回転子は図４を用いて説明する。図は模式図で在る。回転子の軸が同軸で、電機子の両端に整流子が具備され、単磁電機子電極が、両端の位相を同じくする整流子に結線され、ブラシを経てモータ外部に端子が取り出されている。之により位相の異なる電機子と直列閉鎖回路を形成することなく、開放回路で、の結線が可能である。【００２９】実施例の第三の二重コイルは図２、６に於いて説明する。図は単磁電機子対での説明模式図である。従来の駆動モータに磁束を同じくする励磁磁鉄に、駆動モータコイルとは独立した発電コイルを巻くことで、発電電力を、取り出せる。単磁電気子対のモータは駆動モータ用コイルも、発電用コイルも、同相多柱間の結線は並列結線であり、位相間結線は開放回路である。【００３０】
【発明の効果】
【００３１】本発明の第一の効果は図１・図２を用いて説明する。図１は二相の交流電源を縦軸±の電圧を示し、横軸が時間と位相を現し、中心線が電圧の零圧を図示したものである。ＵＶ二相の位相が１８０度ずれて配電されている。この二相のコイル中間点で仕事をさせると、二相のプラスマイナスが対消滅し発熱し半分が熱損となる。ＵＶ２相の波形が１相の波形となり、１相分がプラスマイナス短絡し電磁気力対称性が保たれ、エネルギー保存則にしたがっている。エネルギー保存則はエネルギーが無駄に消費されることが分る。
次に図２を用いて説明する。図２は２スロットル２電磁極の発電気である。固定子はソレノイドコイルを用いた電磁石です。回転子は２スロットル２磁極の２相発電機です。
ＵＶこの二相の閉鎖回路を双磁極電機子コイル中間の短絡部分で切断し、Ｕ相Ｖ相それぞれ独立させ二回線の単磁コイル電機子対とし、新たな入出力回線とすれば、入出力電源をそれぞれプラスマイナス電源とすることが可能。
電磁気力対称性により、閉鎖回路で短絡し熱損で浪費することのない、自発的電磁気力非対称性により新たな発電電力獲て１００％有効電力利用することが出来た。
実測値として直流安定化電源のモータへの出力が１５Ｖ×５Ａ＝７５Ｗにて、コントローラにＮ・Ｓ二磁極用単磁電機子対の２台のコントローラに２回線ずつの平列結線回路を測定すると。電圧は１４Ｖ、電流はプラス側で４Ａ×２回線とマイナス側は２２Ａ×二回線であった。自発的電磁気力非対称性により、発熱はモータでは発熱しない。コントローラの回磁界用・分配電流
スイッチ素子のトランジェスターが発熱する。電流が入力電流の倍の自己誘導発電が発生し駆動モータ無いでは短絡せず、トランジェスター内で発熱している。
自発的電磁気力非対称性によりモータの性能としては熱損力損の無い高トルク高速回転モータの効果が在る。
【００３２】本発明の第二の効果は、図３を用いて説明する。上記発明の効果で明らかになったように、磁極の違う単磁極電機子ＵＶＷ同士の結線が従来のスター回路やデルター回路のように短絡閉鎖回路を形成することなく開放し新たな逆相電極を形成し、新たな電極とアース間で電気器具により電力を消費すると、従来の発電により誘導される二次的な磁束と磁力が発電抗力となる。自発的電磁気力対称性の破れにより発電エネルギーが、本発明では単磁極電機子対内のそれぞれの単磁電機子内で電力消化され、異磁極間に磁束が流れにくくなる。これにより、磁気による発電抗力が、発生しにくい。発電抗力の少ないモータが具現した。
【００３３】発明の第二の発電抗力をなくす効果は図５を用いて行う。図５は模式図である。
電機子巻き線の磁極性を同じくする、単磁極電機子の結線が従来では、直列に結線して在る。これにより同じ極の電機子に発生する電気により、二次的に発生する磁束は、異磁極性の単磁極電機子に逆流し結果、二次的な磁束を発生させ、発電抗力の元となる。本発明はこの単磁極同士の直列結線を解放し、新たな二電極とし、このそれぞれの電極と電気器具を良電導線の一方で繋ぎ、他方をアースとする。これによりそれぞれの単磁極電機子内で発生する電気は単磁極電機子内で消化され、二次的な磁束は発生しない、自発的電磁気力対称性の破れ、これにより発電抗力の発生を少なくし、発電抗力の少ないモータが具現した。第一の効果としては、発生した電気は電気器具を通じてそれぞれの逆相に流れるため電圧は倍加する。第二の効果としては、双磁極電機子を単磁極電機子対に変換すると発電抗力が少なくなり、入力エネルギーが同じであれば、回転とトルクの積は同じですから回転は極数分上がる。電圧が極数分倍加する。電流の同一モータ総量としてはしないため、発電機発生エネルギーは極数分倍加する。
【００３４】発明の第三の効果は図４、図６、図２にて行う。単磁極電機子対で構成される電動モータ内の交流電気を、少なくとも一つの単磁極電機子対の電極±一端と±他端に整流子を構成することにより、単磁極電機子対内いで発電する交流電気を直流電機に取り出すことが可能。少なくとも一つの単磁極電機子に半導体群で構成する全波整流器を繋げば、単磁電機子群の交流電気を直流電気に変換が可能となった。図６に於いて、電動モータに駆動電流を流し、回転が上がると友に、自己誘導発電が発生する。この電流は駆動電流に対し逆流のため、上記整流子を具備しても、整流以前に、駆動電流と短絡発熱し、発電抗力も発生し、熱損力損となる。駆動電源を入力しないときに、ブレーキとしての回生電気として取り出すことは可能ですが、発電の一部でしかない。コイルを単磁電機子対にすると、駆動電源としての熱損・力損がなくなるが、自己誘導発電についての熱損・力損は取れない。この駆動用単磁電機子対コイルに励磁磁鉄を同じくしつつ発電用コイルを二重に重ねて巻き自己誘導発電回路と駆動回路を別回路とする。之により、同じ磁束内の自己誘導発電は１００％有効電源として取り出せることが可能となり併せて、単磁電気子対のコイルとすることにより発電抗力も無くなり、熱損力損をなくす効果が在る。併せて、回転が上がっても駆動トルクが減らない効果が在る。併せて、自己誘導発電による抗力を少なくすると、より高速回転が可能となリ駆動モータ・及び発電の出力を増加させる効果が在る。
【図面の簡単な説明】
【００３５】
【図１】図１は二相交流のＵ相Ｖ相のうちの二相の出力電圧と位相を表わすものであり、縦方向がプラスマイナスの電圧であり  横方向が周波数とコイルと磁石の位相のずれを顕わすグラフである。Ｕ相Ｖ相二相の相互作用により−Ｕ相と＋Ｖ相の逆相が対消滅し、電磁気力の対称性が保たれ、エネルギー保存則にしたがう。対消滅した一相分は熱損として浪費される。
【図２】図２はソレノイドコイル電機子をあらわす模式図である。１は絶縁皮膜された鉄板の合板で構成された鉄心。２は鉄心に巻かれる絶縁皮膜された良電導体コイル。
【図３】図３はモータの電機子の模式図。点線で表されている１は、絶縁皮膜された板の合板で構成された励磁磁鉄。
【図４】図４は模式図。モータ電機子とＮＳ磁石の模式図。電機子は同磁極単磁電機子の並列回路を切断し単磁極電機子電極端子を極数分増やしたものである。
【図５】図５は模式図。単磁極電機子対電動モータ回転子軸両端に整流子を具備したものである。
【図６】図６は模式図。単磁極電機子の２端子に複数の半導体に因る全波整流器を接続したもの１）              鉄心  
２）              コイル
３）              整流子
４）              電磁石
５）              ロータ
６）              ＦＥＴトランジェスター
７）              ホール素子・信号入力線
８）              発電コイル
９）              回生発電回路
１０）            駆動電流回路
１１）            コンデンサー
１２）            二重コイル電機子対
１３）            ブラシ
１４）            ヨーク
１５）            スロットル
１６）            軸
１７）            抵抗器＝対消滅機＝発熱機
１８）            トランス
１９）
２０）            コントローラ
２１）            回転子磁極位置検出センサー
２２）            インバータ
２３）            ボリュウム
２４）            コンバータ
Ｎ                磁極
Ｓ                磁極
Ａ，Ｂ，Ｃ，Ｄ    電機子各端子
±Ｕ，±Ｖ，±Ｗ  交流電気各相
ＩＧ・ＳＷ        自動車キーによるスイッチ
Ｃ・Ｌ・Ｒ        チャージ・ランプ・リレー
Ｔｒ２            トランジェスター
Ｔｒ１            トランジェスター
Ｃ・Ｌ            チャージ・ランプ
Ｚ・Ｄ            ツェナ・ダイオード
＋                正電圧
−                負電圧
【図１】
2017093293.tif 000003
【図２】
2017093293.tif 000004
【図３】
2017093293.tif 000005
【図４】
2017093293.tif 000006
【図５】
2017093293.tif 000007
【図６】
2017093293.tif 000008